(57)【要約】      （修正有）【課題】支持具から仕切り板が外れ難い仕切りを提供する。【解決手段】仕切り１０は、仕切り板１１と、仕切り板を支持する支持具２０と、を備え、支持具は、仕切り板の辺１４に交わる脚部２１と、脚部に隣接し仕切り板の表面１２に沿って辺１４から離れる方向へ延びる第１延長部２４と、脚部２１に隣接し仕切り板の裏面１３に沿って辺１４から離れる方向へ延びる第２延長部と、を備える。第１延長部及び第２延長部の少なくとも一方は突起を含む。仕切り板には、仕切り板の厚さ方向に凹む穴が設けられ、突起は穴にはまる。【選択図】図１
0003231848.tif 000002
【実用新案登録請求の範囲】
【請求項１】
表面、前記表面の反対側の裏面、及び、辺を介して前記表面につながる側面を備える仕切り板と、
前記仕切り板を支持する支持具と、を備え、
前記支持具は、前記仕切り板の前記辺に交わる脚部と、
前記脚部に隣接し前記仕切り板の前記表面に沿って前記辺から離れる方向へ延びる第１延長部と、
前記脚部に隣接し前記仕切り板の前記裏面に沿って前記辺から離れる方向へ延びる第２延長部と、を備え、
前記第１延長部および前記第２延長部の少なくとも一方は突起を含み、
前記表面および前記裏面の少なくとも一方には、前記仕切り板の厚さ方向に凹む穴が設けられており、
前記突起は前記穴にはまる仕切り。
【請求項２】
前記第１延長部は、前記表面に接する第１面を有する第１部と、前記表面に対面する第２面を有し前記第１部に隣接する第２部と、前記表面に接する第３面を有し前記第２部に隣接する第３部と、を備え、
前記第２延長部は、前記裏面に接する第４面を有する第４部と、前記裏面に対面する第５面を有し前記第４部に隣接する第５部と、前記裏面に接する第６面を有し前記第５部に隣接する第６部と、を備え、
前記突起は、前記第３面および前記第６面の少なくとも一方に設けられている請求項１記載の仕切り。
【請求項３】
前記穴は、前記表面から前記裏面まで突き抜けており、
前記突起は、前記第３面および前記第６面の両方に設けられている請求項２記載の仕切り。
【請求項４】
前記支持具は、前記辺が延びる第１方向における厚さが一定であり、
前記第２部は、前記辺が交差する第２方向における幅が最も狭い第１最狭部を含み、
前記第５部は、前記第２方向における幅が最も狭い第２最狭部を含み、
前記第１最狭部の幅は、前記第１部のうち前記第２方向における幅が最も狭い部分の幅より狭く、
前記第２最狭部の幅は、前記第４部のうち前記第２方向における幅が最も狭い部分の幅より狭い請求項３記載の仕切り。
【請求項５】
前記第２面は円弧状に湾曲し、前記第１最狭部は前記第２部のうち前記表面から最も遠くに位置し、
前記第５面は円弧状に湾曲し、前記第２最狭部は前記第５部のうち前記裏面から最も遠くに位置する請求項４記載の仕切り。
【請求項６】
前記仕切り板は、前記穴に向かって前記辺から延びる、前記表面から前記裏面まで突き抜けたスリットと、
前記スリットと異なる位置において前記辺から延びる、前記表面から前記裏面まで突き抜けた凹みと、を備え、
前記脚部の一部は、前記スリットの中に配置され、
前記脚部の端面は、前記仕切り板の前記辺と同一平面上に配置される請求項１から５のいずれかに記載の仕切り。
【請求項７】
前記支持具は、前記脚部に隣接し前記第１延長部が延びる方向と反対向きに延びる爪を備える請求項１から６のいずれかに記載の仕切り。
【考案の詳細な説明】
【技術分野】
【０００１】
本考案は仕切りに関するものである。
【背景技術】
【０００２】
空間を区切る簡易な仕切りが普及している。特許文献１には、支持具に設けたスリットに仕切り板を差し込んで仕切り板を起立させる技術が開示されている。
【先行技術文献】
【特許文献】
【０００３】
【特許文献１】実用新案登録第３２２７２８６号公報
【考案の概要】
【考案が解決しようとする課題】
【０００４】
しかし先行技術では、支持具のスリットから仕切り板が外れるおそれがある。
【０００５】
本考案はこの問題点を解決するためになされたものであり、支持具から仕切り板が外れ難い仕切りを提供することを目的とする。
【課題を解決するための手段】
【０００６】
この目的を達成するために本考案の仕切りは、表面、表面の反対側の裏面、及び、辺を介して表面につながる側面を備える仕切り板と、仕切り板を支持する支持具と、を備え、支持具は、仕切り板の辺に交わる脚部と、脚部に隣接し仕切り板の表面に沿って辺から離れる方向へ延びる第１延長部と、脚部に隣接し仕切り板の裏面に沿って辺から離れる方向へ延びる第２延長部と、を備える。第１延長部および第２延長部の少なくとも一方は突起を含む。仕切り板の表面および裏面の少なくとも一方には、仕切り板の厚さ方向に凹む穴が設けられており、突起は穴にはまる。
【考案の効果】
【０００７】
請求項１記載の仕切りによれば、支持具の脚部は仕切り板の辺に交わり、脚部に隣接する支持具の第１延長部および第２延長部は、それぞれ仕切り板の表面および裏面に沿って配置される。第１延長部および第２延長部の少なくとも一方に設けられた突起は仕切り板の穴にはまるので、支持具から仕切り板が外れ難くなる。
【０００８】
請求項２記載の仕切りによれば、突起は、第１延長部の第３面および第２延長部の第６面の少なくとも一方に設けられている。仕切り板の表面に、第１延長部の第１面および第３面が接し、仕切り板の裏面に、第２延長部の第４面および第６面が接するので、請求項１の効果に加え、第１延長部と第２延長部との間で仕切り板がぐらぐらし難くなる。
【０００９】
請求項３記載の仕切りによれば、仕切り板の表面から裏面まで穴が突き抜けており、突起は、第３面および第６面の両方に設けられている。２つの突起が穴にはまるので、請求項２の効果に加え、支持具に固定される仕切り板の安定性が増す。
【００１０】
請求項４記載の仕切りによれば、支持具は、仕切り板の辺が延びる第１方向における厚さが一定である。支持具の第２部は、仕切り板の辺が交差する第２方向における幅が最も狭い第１最狭部を含み、支持具の第５部は、第２方向における幅が最も狭い第２最狭部を含む。第１最狭部の幅は、第１部のうち第２方向における幅が最も狭い部分の幅より狭く、第２最狭部の幅は、第４部のうち第２方向における幅が最も狭い部分の幅より狭い。第１最狭部および第２最狭部が弾性変形し易くなるので、請求項３の効果に加え、穴に突起がはまり易くなる。
【００１１】
請求項５記載の仕切りによれば、第２部の第２面は円弧状に湾曲し、第１最狭部は第２部のうち仕切り板の表面から最も遠くに位置する。第５部の第５面は円弧状に湾曲し、第２最狭部は第５部のうち仕切り板の裏面から最も遠くに位置する。第１最狭部および第２最狭部が弾性変形するときに第２面および第５面に生じる引張応力が分散されるので、請求項４の効果に加え、第１最狭部および第２最狭部が破損し難くなる。
【００１２】
請求項６記載の仕切りによれば、仕切り板の表面から裏面まで突き抜けたスリットは、穴に向かって仕切り板の辺から延びる。スリットの中に脚部の一部が配置され、脚部の端面は、仕切り板の辺と同一平面上に配置される。脚部の端面および仕切り板の側面が、仕切りが配置される平面に接するので、その平面に仕切りが安定して起立する。スリットと異なる位置において仕切り板の辺から延びる凹みが、仕切り板の表面から裏面まで突き抜けている。請求項１から５のいずれかの効果に加え、凹みを通して、仕切り板で区画された空間をつなぐことができる。
【００１３】
請求項７記載の仕切りによれば、支持具は、脚部に隣接する爪が、第１延長部が延びる方向と反対向きに延びる。請求項１から６のいずれかの効果に加え、爪を使って、仕切りが配置される物（台など）に支持具を固定できる。
【図面の簡単な説明】
【００１４】
【図１】本考案の一実施の形態における仕切りの斜視図である。
【図２】仕切りの側面図である。
【図３】支持具の側面図である。
【図４】仕切り板の正面図である。
【考案を実施するための形態】
【００１５】
以下、本考案の好ましい実施の形態について添付図面を参照して説明する。図１は一実施の形態における仕切り１０の斜視図である。図１の矢印Ａは第１方向を示し、矢印Ｂは、第１方向Ａに直交する第２方向を示し、矢印Ｃは、第１方向Ａ及び第２方向Ｂに直交する第３方向を示す。図１に示すように仕切り１０は、仕切り板１１、及び、仕切り板１１を支持する支持具２０を備えている。本実施形態では、仕切り１０は、細長いテーブル等の台５０の上面５１に設置されている。
【００１６】
仕切り板１１は、表面１２と裏面１３とを有する板である。本実施形態では、仕切り板１１はアクリル板などの合成樹脂製の透明な板である。仕切り板１１は、辺１４（線分）を有する略矩形であり、辺１４が延びる第１方向Ａの仕切り板１１の長さは、辺１４に垂直な第３方向Ｃ（高さ方向）の仕切り板１１の長さよりも長い。仕切り板１１の表面１２から裏面１３へ向かう第２方向Ｂの寸法（仕切り板１１の厚さ）は、例えば１０ｍｍ以下である。仕切り板１１は半透明や不透明な板であっても良く、仕切り板１１の材料も制限がない。
【００１７】
仕切り板１１には、辺１４のほぼ中央から第３方向Ｃに延びる略矩形の凹み１８が設けられている。凹み１８は、仕切り板１１の表面１２から裏面１３まで突き抜けている。仕切り板１１の表面１２や裏面１３に、文字や図形を彫りつけたり描いたりしても良い。
【００１８】
支持具２０は、仕切り板１１の辺１４に交わる脚部２１と、脚部２１に隣接する第１延長部２４と、を備えている。本実施形態では、支持具２０は、仕切り板１１の辺１４の両端付近に１つずつ（合計２つ）設けられている。脚部２１の端には、脚部２１から第１延長部２４が延びる第３方向Ｃの反対向きに延びる爪２３が設けられている。爪２３は、台５０の上面５１につながる側面５２に配置される。
【００１９】
図２は仕切り１０の側面図である。仕切り板１１の辺１４は、表面１２と側面１５とが交わる線分である。仕切り板１１の側面１５は表面１２と裏面１３とをつないでいる。支持具２０の脚部２１は、仕切り板１１の辺１４に垂直に交わり、台５０の端（片方の側面５２）から端（もう片方の側面５２）まで第２方向Ｂに延びている。脚部２１の第３方向Ｃに隣接する第２延長部３４は、第１延長部２４に対して第２方向Ｂに位置する。第１延長部２４は仕切り板１１の表面１２に沿って配置され、第２延長部３４は仕切り板１１の裏面１３に沿って配置されている。
【００２０】
脚部２１の端面２２は、脚部２１から第１延長部２４及び第２延長部３４が延びる第３方向Ｃの反対を向く面である。本実施形態では、端面２２は、仕切り板１１の辺１４と同一平面上に配置されている。脚部２１の端面２２及び仕切り板１１の辺１４は、台５０の上面５１（平面）に接するので、脚５３に支持された台５０に仕切り１０が安定して起立する。
【００２１】
爪２３は、脚部２１の両端にそれぞれ設けられている。２つの爪２３は、台５０の側面５２にそれぞれ配置される。爪２３によって、台５０の上面５１を支持具２０が第２方向Ｂに移動しないようにできる。爪２３の先端には、互いに向き合う突起２３ａが設けられている。脚部２１の端面２２と突起２３ａとの間に台５０が配置されると、支持具２０の端面２２が、台５０の上面５１から第３方向Ｃに離れ難くなる。粘着テープ（図示せず）を爪２３の上から側面５２に貼って、支持具２０を台５０に固定しても良い。
【００２２】
図３は支持具２０の側面図である。支持具２０は、第１方向Ａ（図１参照）における厚さが一定の板からなる。支持具２０の厚さは例えば１０ｍｍ以下である。本実施形態では、厚さが一定のアクリル板などの合成樹脂製の板から仕切り板１１及び支持具２０が切り出されて作られている。よって仕切り板１１の厚さと支持具２０の厚さは同一である。
【００２３】
支持具２０の脚部２１の第３方向Ｃに隣接する第１延長部２４は、第１部２５、第２部２７及び第３部３０を含む。脚部２１の第３方向Ｃに隣接する第２延長部３４は、第４部３５、第５部３７及び第６部４０を含む。図３に記された破線（端面２２に平行な線分）は、脚部２１、第１部２５、第２部２７、第３部３０、第４部３５、第５部３７及び第６部４０の各境界を示す。
【００２４】
第１部２５は、脚部２１の第３方向Ｃに隣接している。第１部２５の第１面２６は、仕切り板１１の表面１２（図２参照）に少なくとも一部が接する。
【００２５】
第２部２７は、第１部２５の第３方向Ｃに隣接している。第２部２７の第２面２８は、仕切り板１１の表面１２（図２参照）に対面する。第１最狭部２９は、第２部２７のうち第２方向Ｂにおける幅が最も狭い部分である。
【００２６】
第２面２８は円弧状（本実施形態では半円状）に湾曲する曲面である。本実施形態では第２面２８の曲率は一定である。第２面２８は仕切り板１１の表面１２（図２参照）から離れている。第１最狭部２９は、第２部２７の中で仕切り板１１の表面１２から最も遠くに位置する。第１最狭部２９の第２方向Ｂの幅は、第１部２５のうち第２方向Ｂの幅が最も狭い部分（本実施形態では第１部２５と第２部２７との間の境界の部分）の幅よりも狭い。
【００２７】
第３部３０は、第２部２７の第３方向Ｃに隣接している。第３部３０の第３面３１は、仕切り板１１の表面１２（図２参照）に少なくとも一部が接する。第３面３１には、第２方向Ｂへ突出する半円柱状の突起３２が設けられている。半円柱状の突起３２の軸は、第１方向Ａに延びている。第３部３０のうち突起３２よりも第２部２７に近い部分の第２方向Ｂの幅は、第１最狭部２９の第２方向Ｂの幅よりも広い。
【００２８】
第４部３５は、脚部２１の第３方向Ｃに隣接している。第４部３５の第４面３６は、第１部２５の第１面２６に対向している。第１面２６と第４面３６との間の距離は、仕切り板１１の厚さよりもわずかに長い。第４面３６は、仕切り板１１の裏面１３（図２参照）に少なくとも一部が接する。
【００２９】
第５部３７は、第４部３５の第３方向Ｃに隣接している。第５部３７の第５面３８は、第２部２７の第２面２８に対向している。第５面３８は、仕切り板１１の裏面１３（図２参照）に対面する。第２最狭部３９は、第５部３７のうち第２方向Ｂにおける幅が最も狭い部分である。
【００３０】
第５面３８は円弧状（本実施形態では半円状）に湾曲する曲面である。本実施形態では第５面３８の曲率は一定である。第５面３８は仕切り板１１の裏面１３（図２参照）から離れている。第２最狭部３９は、第５部３７の中で仕切り板１１の裏面１３から最も遠くに位置する。第２最狭部３９の第２方向Ｂの幅は、第４部３５のうち第２方向Ｂの幅が最も狭い部分（本実施形態では第４部３５と第５部３７との間の境界の部分）の幅よりも狭い。
【００３１】
第６部４０は、第５部３７の第３方向Ｃに隣接している。第６部４０の第６面４１は、第３部３０の第３面３１に対向している。第３面３１と第６面４１との間の距離は、仕切り板１１の厚さよりもわずかに長い。第６面４１は、仕切り板１１の裏面１３（図２参照）に少なくとも一部が接する。第６面４１には、第２方向Ｂの反対側へ突出する半円柱状の突起４２が設けられている。半円柱状の突起４２の軸は、第１方向Ａに延びている。第６部４０のうち突起４２よりも第５部３７に近い部分の第２方向Ｂの幅は、第２最狭部３９の第２方向Ｂの幅よりも広い。突起３２と突起４２との間の距離は、仕切り板１１の厚さよりも短い。
【００３２】
図４は仕切り板１１の正面図である。図４では仕切り板１１の一部の図示が省略されている。仕切り板１１の表面１２（図２参照）及び裏面１３の少なくとも一方には、辺１４から離れた位置に、仕切り板１１の厚さ方向に凹む穴１６が設けられている。本実施形態では、穴１６は仕切り板１１の表面１２から裏面１３まで突き抜けている。
【００３３】
仕切り板１１には、穴１６に向かって辺１４から延びるスリット１７が、凹み１８と異なる位置に、辺１４とほぼ垂直に設けられている。スリット１７は仕切り板１１の表面１２から裏面１３まで突き抜けている。スリット１７の第３方向Ｃの長さは、支持具２０（図２参照）の脚部２１の第３方向Ｃの長さよりもわずかに長い。これにより支持具２０の第１延長部２４と第２延長部３４との間に仕切り板１１が配置され、脚部２１の一部がスリット１７の中に配置されると、脚部２１の端面２２は、仕切り板１１の辺１４の同一平面上に位置する。仕切り板１１に凹み１８があるので、仕切り板１１の表面１２側と裏面１３側とに区画された空間が、凹み１８を通してつながる。
【００３４】
脚部２１の第３方向Ｃの端と突起３２，４２との間の距離は、スリット１７の第３方向Ｃの端と穴１６との間の距離にほぼ等しい。これにより支持具２０の第１延長部２４と第２延長部３４との間に仕切り板１１が配置されると、支持具２０の突起３２，４２は穴１６にはまる。これにより仕切り板１１を支持具２０に接着しなくても、支持具２０から仕切り板１１が外れ難くなる。
【００３５】
仕切り板１１を穴１６が貫通しており、第３面３１及び第６面４１に設けられた２つの突起３２，４２が穴１６にはまるので、支持具２０に固定される仕切り板１１の安定性が増す。さらに仕切り板１１を作成するときに、板に穴１６をあける作業を簡易にできる。
【００３６】
支持具２０の突起３２と突起４２との間の距離は仕切り板１１の厚さよりも短いので、支持具２０の第１延長部２４と第２延長部３４との間に仕切り板１１を差し込むときに、突起３２，４２の分だけ第３面３１と第６面４１との間の距離が長くなる必要がある。第１部２５のうち第２方向Ｂの幅が最も狭い部分の幅より第２方向Ｂの幅が狭い第１最狭部２９、及び、第４部３５のうち第２方向Ｂの幅が最も狭い部分の幅より第２方向Ｂの幅が狭い第２最狭部３９は、それ以外の部分よりも弾性変形し易くなる。従って第１延長部２４と第２延長部３４との間に仕切り板１１が差し込まれると、第１最狭部２９及び第２最狭部３９が弾性変形して、第３面３１と第６面４１との間の距離が長くなる。これにより仕切り板１１の穴１６に突起３２，４２をはめる作業を円滑に行うことができる。
【００３７】
第１最狭部２９及び第２最狭部３９が弾性変形して第３面３１と第６面４１との間の距離が長くなった後、仕切り板１１の穴１６に突起３２，４２がはまると、第１最狭部２９及び第２最狭部３９が復元して第３面３１と第６面４１との間の距離が短くなる。第１最狭部２９及び第２最狭部３９の弾性力に抗する力を加え、第１最狭部２９及び第２最狭部３９を弾性変形させ、第３面３１と第６面４１との間の距離を広げて突起３２，４２を穴１６から抜けば、支持具２０から仕切り板１１を外すことができる。仕切り１０を使わないときは支持具２０から仕切り板１１を外して片付けられる。
【００３８】
突起３２，４２は、突起３２，４２の軸が第１方向Ａに延びる半円柱状なので、突起３２，４２を穴１６にはめるときも穴１６から突起３２，４２を抜くときも、どちらも円滑に作業ができる。さらに突起３２，４２を穴１６にはめるときも穴１６から突起３２，４２を抜くときも、突起３２，４２の角が仕切り板１１に擦れないので、突起３２，４２が摩耗し難い。
【００３９】
第２部２７の第２面２８は円弧状に湾曲し、第１最狭部２９は第２部２７のうち仕切り板１１の表面１２から最も遠くに位置する。第５部３７の第５面３８は円弧状に湾曲し、第２最狭部３９は第５部３７のうち仕切り板１１の裏面１３から最も遠くに位置する。第１最狭部２９及び第２最狭部３９が弾性変形するときに第２面２８及び第５面３８に生じる引張応力が分散されるので、第１最狭部２９及び第２最狭部３９が破損し難くなる。
【００４０】
突起３２，４２が穴１６にはまった状態で、仕切り板１１の表面１２に、第１延長部２４の第１面２６及び第３面３１が接し、仕切り板１１の裏面１３に、第２延長部３４の第４面３６及び第６面４１が接するので、第１延長部２４と第２延長部３４との間で仕切り板１１がぐらぐらし難くなる。
【００４１】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。例えば仕切り板１１や支持具２０の形状、支持具２０の脚部２１の第２方向Ｂの長さと第１延長部２４の第３方向Ｃの長さとの比率、脚部２１の第２方向Ｂの長さと第２延長部３４の第３方向Ｃの長さとの比率などは一例である。これらは仕切り１０が設置される場所や大きさ等に応じて適宜設定される。
【００４２】
実施形態では、１枚の仕切り板１１に２つの支持具２０が設けられる場合について説明したが、必ずしもこれに限られるものではない。１枚の仕切り板１１に設けられる支持具２０は、３つ以上または１つであっても構わない。
【００４３】
実施形態では、仕切り１０を側面から見たときに、仕切り板１１に関して支持具２０の脚部２１、第１延長部２４及び第２延長部３４が対称な場合について説明したが、必ずしもこれに限られるものではない。脚部２１、第１延長部２４及び第２延長部３４の形状や大きさは適宜設定される。
【００４４】
実施形態では、支持具２０の第２面２８の曲率、及び、第５面３８の曲率が一定の場合について説明したが、必ずしもこれに限られるものではない。第２面２８や第５面３８は仕切り板１１を向く凹曲面であれば、第２面２８や第５面３８の曲率は変化していても良い。
【００４５】
実施形態では、支持具２０の第１延長部２４及び第２延長部３４にそれぞれ突起３２，４２を設ける場合について説明したが、必ずしもこれに限られるものではない。突起３２，４２の一方を省略することは当然可能である。突起３２，４２の一方が穴１６にはまれば、支持具２０から仕切り板１１が外れ難くなるからである。突起３２，４２の一方が穴１６にはまれば良いので、穴１６は仕切り板１１を貫通していない止まり穴で良い。
【００４６】
実施形態では、テーブル等の台５０の上面５１に仕切り１０が設置される場合について説明したが、必ずしもこれに限られるものではない。天井面や壁などの鉛直面などに仕切り１０を設置することは当然可能である。支持具２０の突起３２，４２が仕切り板１１の穴１６にはまるので、天井面や鉛直面に支持具２０を取り付けたときに、支持具２０から外れて仕切り板１１が落下しないからである。
【００４７】
実施形態では、仕切り板１１の辺１４に垂直にスリット１７を設ける場合について説明したが、必ずしもこれに限られるものではない。仕切り板１１の辺１４とスリット１７とのなす角は、任意に設定できる。穴１６は、スリット１７が延びる先に設けられる。
【００４８】
実施形態では、仕切り板１１に設けられたスリット１７の中に支持具２０の脚部２１の一部が配置される場合について説明したが、必ずしもこれに限られるものではない。スリット１７を省略することは当然可能である。この場合、支持具２０の脚部２１に仕切り板１１の側面１５が接するように、仕切り板１１の辺１４と穴１６との間の距離、及び、脚部２１と突起３２，４２との間の距離が設定される。
【００４９】
仕切り板１１の辺１４にスリット１７が設けられない場合は、仕切り板１１が取り付けられた支持具２０を台５０の上面５１に置くと、台５０の上面５１と仕切り板１１の側面１５との間に、脚部２１の第３方向Ｃの長さの分の隙間ができる。この隙間が凹み１８を代用するのであれば、凹み１８を省略できる。凹み１８の大きさや形、数は適宜設定される。
【００５０】
実施形態では、支持具２０の脚部２１の両端に爪２３を設ける場合について説明したが、必ずしもこれに限られるものではない。脚部２１に爪２３を設ける位置や爪２３の数は、支持具２０が設置される場所や大きさ、形などに応じて適宜設定できる。爪２３を省略することは当然可能である。
【符号の説明】
【００５１】
１０  仕切り
１１  仕切り板
１２  表面
１３  裏面
１４  辺
１５  側面
１６  穴
１７  スリット
１８  凹み
２０  支持具
２１  脚部
２２  端面
２３  爪
２４  第１延長部
２５  第１部
２６  第１面
２７  第２部
２８  第２面
２９  第１最狭部
３０  第３部
３１  第３面
３２  突起
３４  第２延長部
３５  第４部
３６  第４面
３７  第５部
３８  第５面
３９  第２最狭部
４０  第６部
４１  第６面
４２  突起
【図１】
0003231848.tif 000003
【図２】
0003231848.tif 000004
【図３】
0003231848.tif 000005
【図４】
0003231848.tif 000006